(57)【要約】【課題】中綴じ冊子の表紙面の折り目にステープラー位置を合致させる位置調整処理が自動化された画像処理装置を提供する。【解決手段】画像解析部４２は、中綴じ面をスキャンして得られた中綴じ面画像５０から折り目像５４及び用紙エッジ５２ａを検出し、用紙エッジ５２ａから折り目像５４までのＸ方向距離を検出する。画像解析部４２は、表紙面をスキャンして得られた表紙面画像５６からステープラー像６０及び用紙エッジ５８ａを検出し、表紙面画像５６において、用紙エッジ５８ａからのＸ方向距離が、中綴じ面画像５０における用紙エッジ５２ａから折り目像５４までの距離である位置を表紙側折り目位置６２として特定する。補正量算出部４４は、用紙エッジ５８ａからステープラー像６０までのＸ方向距離が、用紙エッジ５８ａから表紙側折り目位置６２までのＸ方向距離に一致するように、ステープラー処理位置に関する補正情報を算出する。【選択図】図３
2019073367.tif 000002
【特許請求の範囲】
【請求項１】
中綴じ処理装置による折り加工及びステープラー処理により形成された中綴じ冊子の中綴じ面を読み取って中綴じ面画像を取得し、前記中綴じ冊子の表紙面を読み取って表紙面画像を取得する読取部と、
前記中綴じ面画像から検出された中綴じ側折り目位置に基づいて特定された、前記表紙面画像における表紙側折り目位置と、前記表紙面画像から検出されたステープラー位置との差異に基づいて算出される、ステープラー処理位置に関する補正情報を前記中綴じ処理装置に出力する補正情報出力部と、
を備えることを特徴とする画像処理装置。
【請求項２】
前記表紙面画像から検出された、折り目と平行な用紙エッジからの距離が、前記中綴じ面画像から検出された、前記折り目と平行な用紙エッジから前記中綴じ側折り目位置までの距離である位置が、前記表紙側折り目位置として特定される、
ことを特徴とする請求項１に記載の画像処理装置。
【請求項３】
前記読取部による読取処理に先立って、前記中綴じ面において、折り目を挟む位置に第１マーク組を印刷し、前記表紙面において、前記中綴じ面における前記第１マーク組と同じ位置に第２マーク組を印刷する処理を行う印刷部、
をさらに備え、
前記中綴じ面画像には、前記第１マーク組に対応する第１マーク像組が含まれ、前記表紙面画像には、前記第２マーク組に対応する第２マーク像組が含まれ、
前記表紙側折り目位置は、前記第１マーク像組の一方のマーク像から前記中綴じ側折り目位置までの距離と、前記第１マーク像組の他方のマーク像から前記中綴じ側折り目位置までの距離との比、及び、前記第２マーク像組間の距離とに基づいて特定される、
ことを特徴とする請求項１に記載の画像処理装置。
【請求項４】
前記印刷部は、前記読取部による読取処理に先立って、前記中綴じ面において、前記第１マーク組と前記第２マーク組との位置ずれを検出するための第１ずれ検出用マークを印刷し、前記表紙面において、前記中綴じ面における前記第１ずれ検出用マークと同じ位置に第２ずれ検出用マークを印刷する処理を行い、
前記中綴じ面画像には、前記第１ずれ検出用マークに対応する第１ずれ検出用マーク像が含まれ、前記表紙面画像には、前記第２ずれ検出用マークに対応する第２ずれ検出用マーク像が含まれ、
前記画像処理装置は、
前記中綴じ面画像から検出された、前記折り目と平行な用紙エッジから前記第１ずれ検出用マーク像までの第１距離と、前記表紙面画像から検出された、前記折り目と平行な用紙エッジから前記第２ずれ検出用マーク像までの第２距離とが異なる場合に、前記表紙側折り目位置の特定に先立って、前記第１距離と前記第２距離との差に基づいて、前記第１マーク像組及び前記第２マーク像組のいずれか一方の位置を前記折り目に対して垂直方向に調整するマーク像位置調整部と、
をさらに備える、
ことを特徴とする請求項３に記載の画像処理装置。
【請求項５】
中綴じ処理装置による折り加工及びステープラー処理により形成された中綴じ冊子の中綴じ面を読み取って中綴じ面画像を取得し、前記中綴じ冊子の表紙面を読み取って表紙面画像を取得する読取ステップと、
前記中綴じ面画像から検出された中綴じ側折り目位置に基づいて特定された、前記表紙面画像における表紙側折り目位置と、前記表紙面画像から検出されたステープラー位置との差異に基づいて算出される、ステープラー処理位置に関する補正情報を前記中綴じ処理装置に出力する補正情報出力ステップと、
を含むことを特徴とする画像処理方法。
【発明の詳細な説明】
【技術分野】
【０００１】
本発明は、画像処理装置及び画像処理方法に関する。
【背景技術】
【０００２】
複数枚の用紙を２つ折りにして折り目位置においてステープラー止めを行って中綴じ冊子を形成する中綴じ処理が知られている（図１４参照）。
【０００３】
中綴じ冊子に用いられる用紙毎に用紙特性（サイズ、厚み、コシなど）が異なること、あるいは、中綴じ冊子毎に用いられる用紙枚数が異なることなどに起因して、折り目の位置が微妙に異なる場合があることから、ステープラー位置を折り目位置に合わせる位置調整が必要になる場合がある。
【０００４】
従来、その位置調整は手動で行われていた。スキャン画像から折り目を検出する技術は従来から提案されている（例えば特許文献１）。したがって、当該位置調整を自動化するならば、処理済みの中綴じ冊子をスキャンして得られた画像を解析することで折り目を検出し、検出した折り目にステープラー位置を合わせることが考えられる。
【先行技術文献】
【特許文献】
【０００５】
【特許文献１】特開２０１６−１５８１１３号公報
【発明の概要】
【発明が解決しようとする課題】
【０００６】
図１５（ａ）及び（ｂ）には、中綴じ冊子を地側（又は天側）から見た図が示されている。図１５（ａ）に示す通り、中綴じ冊子においては、中綴じ冊子の最も内側となる面（本明細書では「中綴じ面」と記載する）を構成する用紙は、折りが強くなることから折り目を検出しやすいが、表紙面（表示及び裏表紙の面）を構成する用紙は、折りが弱くなることから折り目を検出しにくい。一方、図１５（ｂ）に示す通り、用紙面に対して斜めに（垂直でなく）ステープラーが打たれる場合があることを鑑みると、表紙面における折り目を検出した上で、表紙面における折り目位置に対してステープラー位置を調整したいという要請がある。
【０００７】
本発明の目的は、中綴じ冊子の表紙面の折り目にステープラー位置を合致させる位置調整処理が自動化された画像処理装置を提供することにある。
【課題を解決するための手段】
【０００８】
請求項１に係る発明は、中綴じ処理装置による折り加工及びステープラー処理により形成された中綴じ冊子の中綴じ面を読み取って中綴じ面画像を取得し、前記中綴じ冊子の表紙面を読み取って表紙面画像を取得する読取部と、前記中綴じ面画像から検出された中綴じ側折り目位置に基づいて特定された、前記表紙面画像における表紙側折り目位置と、前記表紙面画像から検出されたステープラー位置との差異に基づいて算出される、ステープラー処理位置に関する補正情報を前記中綴じ処理装置に出力する補正情報出力部と、を備えることを特徴とする画像処理装置である。
【０００９】
請求項２に係る発明は、前記表紙面画像から検出された、折り目と平行な用紙エッジからの距離が、前記中綴じ面画像から検出された、前記折り目と平行な用紙エッジから前記中綴じ側折り目位置までの距離である位置が、前記表紙側折り目位置として特定される、ことを特徴とする請求項１に記載の画像処理装置である。
【００１０】
請求項３に係る発明は、前記読取部による読取処理に先立って、前記中綴じ面において、折り目を挟む位置に第１マーク組を印刷し、前記表紙面において、前記中綴じ面における前記第１マーク組と同じ位置に第２マーク組を印刷する処理を行う印刷部、をさらに備え、前記中綴じ面画像には、前記第１マーク組に対応する第１マーク像組が含まれ、前記表紙面画像には、前記第２マーク組に対応する第２マーク像組が含まれ、前記表紙側折り目位置は、前記第１マーク像組の一方のマーク像から前記中綴じ側折り目位置までの距離と、前記第１マーク像組の他方のマーク像から前記中綴じ側折り目位置までの距離との比、及び、前記第２マーク像組間の距離とに基づいて特定される、ことを特徴とする請求項１に記載の画像処理装置である。
【００１１】
請求項４に係る発明は、前記印刷部は、前記読取部による読取処理に先立って、前記中綴じ面において、前記第１マーク組と前記第２マーク組との位置ずれを検出するための第１ずれ検出用マークを印刷し、前記表紙面において、前記中綴じ面における前記第１ずれ検出用マークと同じ位置に第２ずれ検出用マークを印刷する処理を行い、前記中綴じ面画像には、前記第１ずれ検出用マークに対応する第１ずれ検出用マーク像が含まれ、前記表紙面画像には、前記第２ずれ検出用マークに対応する第２ずれ検出用マーク像が含まれ、前記画像処理装置は、前記中綴じ面画像から検出された、前記折り目と平行な用紙エッジから前記第１ずれ検出用マーク像までの第１距離と、前記表紙面画像から検出された、前記折り目と平行な用紙エッジから前記第２ずれ検出用マーク像までの第２距離とが異なる場合に、前記表紙側折り目位置の特定に先立って、前記第１距離と前記第２距離との差に基づいて、前記第１マーク像組及び前記第２マーク像組のいずれか一方の位置を前記折り目に対して垂直方向に調整するマーク像位置調整部と、をさらに備える、ことを特徴とする請求項３に記載の画像処理装置である。
【００１２】
請求項５に係る発明は、中綴じ処理装置による折り加工及びステープラー処理により形成された中綴じ冊子の中綴じ面を読み取って中綴じ面画像を取得し、前記中綴じ冊子の表紙面を読み取って表紙面画像を取得する読取ステップと、前記中綴じ面画像から検出された中綴じ側折り目位置に基づいて特定された、前記表紙面画像における表紙側折り目位置と、前記表紙面画像から検出されたステープラー位置との差異に基づいて算出される、ステープラー処理位置に関する補正情報を前記中綴じ処理装置に出力する補正情報出力ステップと、を含むことを特徴とする画像処理方法である。
【発明の効果】
【００１３】
請求項１又は５に係る発明によれば、中綴じ冊子の表紙面の折り目にステープラー位置を合致させる位置調整処理が自動化された画像処理装置を提供することができる。
【００１４】
請求項２に係る発明によれば、中綴じ面画像における用紙エッジから中綴じ側折り目位置までの距離に基づいて、表紙側折り目位置を特定することができる。
【００１５】
請求項３に係る発明によれば、中綴じ面と表紙面とにおける折りの強さの差によって、中綴じ面画像における用紙長と表紙面画像における用紙長が異なっていたとしても、中綴じ側折り目位置に基づいて表紙側折り目位置を特定することができる。
【００１６】
請求項４に係る発明によれば、中綴じ面に対する第１マーク組の印刷位置と、表紙面に対する第２マーク組の印刷位置とがずれていたとしても、当該ずれを解消した上で、中綴じ側折り目位置に基づいて表紙側折り目位置を特定することができる。
【図面の簡単な説明】
【００１７】
【図１】本実施形態に係る画像処理システムの構成概略図である。
【図２】本実施形態に係る後加工装置の構成概略図である。
【図３】本実施形態に係る画像形成装置の構成概略図である。
【図４】中綴じ面画像の例を示す図である。
【図５】表紙面画像の例を示す図である。
【図６】第１実施形態に係る画像処理システムの処理の流れを示すフローチャートである。
【図７】中綴じ面スキャン時と表紙面スキャン時の中綴じ冊子の状態を示す図である。
【図８】中綴じ側マーク組像を含む中綴じ面画像の例を示す図である。
【図９】表紙側マーク組像を含む表紙面画像の例を示す図である。
【図１０】中綴じ側マーク組像及び中綴じ側ずれ検出用マーク像を含む中綴じ面画像の例を示す図である。
【図１１】表紙側マーク組像及び表紙側ずれ検出用マーク像を含む表紙面画像の例を示す図である。
【図１２】中綴じ側マーク組像の位置が修正される様子を示す概念図である。
【図１３】第２実施形態に係る画像処理システムの処理の流れを示すフローチャートである。
【図１４】中綴じ冊子を示す図である。
【図１５】中綴じ冊子を地側（又は天側）から見た図である。
【発明を実施するための形態】
【００１８】
以下、本発明の実施形態について説明する。
【００１９】
＜第１実施形態＞
図１に、本実施形態に係る画像処理システム１０の構成概略図が示されている。画像処理システム１０は、画像処理装置としての画像形成装置１２及び中綴じ処理装置としての後加工装置１４を含んで構成されている。
【００２０】
画像形成装置１２は、プリント（印刷）機能、スキャン（画像読取）機能、コピー機能などを備える複合機である。例えば、画像形成装置１２は、利用者（ユーザ）から入力されたプリントジョブにおいて指定された印刷データを処理して紙などの印刷媒体上に画像を形成する（プリント機能）。また、画像形成装置１２は、ユーザによりセットされた紙文書などの原稿を光学的に読み取って画像データを生成する（スキャン機能）。コピー機能は、スキャン機能により読みとった画像データを印刷データとし、当該印刷データをプリント機能により印刷する処理を実行するものである。プリント機能などによって印刷された印刷済用紙は後加工装置１４に送られる。画像形成装置１２の詳細については後述する。
【００２１】
図２に、後加工装置１４の構成概略図が示されている。
【００２２】
用紙受付部２０は、用紙送り用ローラなどを含んで構成され、画像形成装置１２から印刷済用紙を受け付けて後述の中綴じ処理部２４へ搬送する。
【００２３】
接続部２２は、例えばコネクタなどを含んで構成され、画像形成装置１２と通信可能に接続するために設けられる。接続部２２により接続されることで、画像形成装置１２から中綴じ処理部２４における中綴じ処理に関する設定情報を受け取ることができる。
【００２４】
中綴じ処理部２４は、画像形成装置１２からの複数の印刷済用紙に対して中綴じ処理を施し、中綴じ冊子を形成する処理を行う。具体的には、中綴じ処理部２４は、印刷済用紙に対して折り加工を行い、折り加工された複数の印刷済用紙をまとめて（重ねて）、折り目位置にステープラーを打つステープラー処理を実行する（図１４参照）。さらに、中綴じ処理部２４は、ステープラー処理後に、中綴じ冊子の小口側を揃える断裁処理を行ってもよい。
【００２５】
本実施形態では、中綴じ処理における折り加工による折り目は、印刷済用紙の長手方向の中央位置にあり、印刷済用紙の短手方向に延びるように設けられる。ステープラー位置を折り目に一致させるべく、後加工装置１４においては、印刷済用紙の長手方向におけるステープラー位置が調整可能となっている。本実施形態では、中綴じ処理部２４は、画像形成装置１２から送信される情報に基づいて、印刷済用紙の長手方向におけるステープラー位置を決定する。なお、後加工装置１４においては、もちろん印刷済用紙の短手方向におけるステープラー位置も調整可能となっていてよいが、本実施形態では、長手方向におけるステープラー位置の調整について着目して説明する。また、中綴じ処理における折り加工による折り目は、印刷済用紙の短手方向の中央位置にあって、長手方向に延びるように設けられてもよく、その場合は、後加工装置１４においては、印刷済用紙の短手方向におけるステープラー位置を調整する。
【００２６】
図３に、画像形成装置１２の構成概略図が示されている。
【００２７】
印刷部３０は、例えば、感光体ユニット、トナーボックス、カートリッジ、あるいは定着機などを含んで構成される。印刷部３０は、ユーザからのプリント機能あるいはコピー機能の実行要求に応じて、対象となる印刷データを紙などの印刷媒体に印刷する処理を行う。
【００２８】
読取部３２は、例えば、光源、ＣＣＤセンサ、あるいはプラテンガラスなどを含んで構成される。読取部３２は、ユーザによりセットされた原稿を光学的に読み取って（スキャンして）、画像データを形成する処理を行う。
【００２９】
記憶部３４は、例えば、ハードディスク、ＲＯＭ（Read Only Memory）、あるいはＲＡＭ（Random Access Memory）などを含んで構成される。記憶部３４には、画像形成装置１２の各部を動作させるためのプログラムが記憶される。また、記憶部３４には、読取部３２により形成された画像データが記憶される。
【００３０】
用紙排出部３６は、用紙送り用ローラなどを含んで構成され、印刷部３０により印刷された印刷済用紙を後加工装置１４へ排出する。
【００３１】
接続部３８は、例えばコネクタなどを含んで構成され、後加工装置１４と通信可能に接続するために設けられる。接続部３８を介して、中綴じ処理に関する設定情報が後加工装置１４に出力される。
【００３２】
制御部４０は、例えばマイクロプロセッサなどから構成され、記憶部３４に記憶されたプログラムに従って、画像形成装置１２の各部を動作させるものである。また、図３に示す通り、制御部４０は、画像解析部４２、補正量算出部４４、及び補正情報出力部４６としても機能する。
【００３３】
制御部４０が有する各機能は、中綴じ冊子の表紙面側の折り目位置を検出した上で、中綴じ処理部２４によるステープラー処理位置（本実施形態では印刷済用紙の長手方向における位置）を検出した表紙面側の折り目位置に合わせるように、ステープラー処理位置を補正するための処理を実行する。
【００３４】
ステープラー処理位置の補正処理に先立って、画像形成装置１２及び後加工装置１４は以下の各処理を行う。まず、印刷部３０は、ユーザ指示に基づいてテスト用印刷済用紙を複数枚印刷する。テスト用印刷済用紙としては、ステープラー処理位置の補正後に行われる本番の中綴じ冊子形成処理に用いられる用紙と同じ用紙特性を有するものを使用する。次いで、中綴じ処理部２４は、当該複数のテスト用印刷済用紙に対して中綴じ処理を実行する。これにより、テスト用中綴じ冊子が形成される。テスト用中綴じ冊子は、ステープラー処理位置の補正後に形成される本番用中綴じ冊子と同枚数の用紙から構成される。
【００３５】
読取部３２は、開いた状態のテスト用中綴じ冊子の中綴じ面をスキャンして中綴じ面画像を取得する。取得された中綴じ面画像は記憶部３４に一時記憶される。また、読取部３２は、開いた状態のテスト用中綴じ冊子の表紙面をスキャンして表紙面画像を取得する。取得された表紙面画像は記憶部３４に一時記憶される。
【００３６】
制御部４０が有する各機能は、取得された中綴じ面画像及び表紙面画像に対して処理を行うことで、ステープラー処理位置の補正を行う。以下、制御部４０が有する各機能の詳細ついて説明する。
【００３７】
画像解析部４２は、中綴じ面画像に対して画像解析処理を行うことで、中綴じ面画像に含まれる折り目（折り目像）の位置である中綴じ側折り目位置を検出する。図４に、中綴じ面画像５０の例が示されている。図４に示される通り、中綴じ面画像５０は中綴じ面像５２を含んでいる。なお、図４において中綴じ面像５２の長手方向をＸ方向とし、Ｘ方向に垂直な短手方向をＹ方向としている。テスト用中綴じ冊子の中綴じ面は一旦折り加工されているために、中綴じ面像５２は、Ｙ方向に延伸する折り目像５４を含んでいる。画像解析部４２は、中綴じ面画像５０に対して画像解析処理を行うことで、折り目像５４を検出する。
【００３８】
折り目像５４は、例えば、中綴じ面像５２内における画素値（輝度あるいは色）のコントラスト（差）に基づいて検出することができる。例えば、中綴じ面像５２内において、他の部分とは区別される画素値を有する画素列がＹ方向に一定量延びていれば、当該画素列が折り目像５４を構成するものであると判別できる。また、より好適に折り目像５４を検出可能とするために、中綴じ面に対応するテスト用印刷済用紙を印刷する際に、折り目を含む一定の領域を単色（例えば黒）のパッチで塗りつぶすようにしてもよい。これにより、中綴じ面像５２において、折り目像５４と、折り目像５４の周囲との画素値のコントラストをより高くすることができ、その結果、より好適に折り目像５４を検出可能となる。
【００３９】
中綴じ面は折りが強くなることから（図１５（ａ）参照）、画像解析部４２は、中綴じ面像５２から比較的好適に折り目像５４を検出することができる。
【００４０】
次いで、画像解析部４２は、折り目像５４に基づいて、中綴じ側折り目位置を検出する。本実施形態では、画像解析部４２は、中綴じ面画像５０から、中綴じ面像５２の用紙エッジ５２ａを検出し、用紙エッジ５２ａから折り目像５４までのＸ方向距離（図４のＬ１）を中綴じ面側折り目位置の指標として検出する。用紙エッジ５２ａは、詳しくは、中綴じ面像５２のＸ方向端部のエッジであって、折り目像５４の延伸方向（すなわちＹ方向）と平行なエッジである。用紙エッジ５２ａは、従来の画像解析技術（エッジ検出処理）により検出することができる。
【００４１】
図５に、表紙面画像５６の例が示されている。図５に示される通り、表紙面画像５６は表紙面像５８を含んでいる。なお、図５においても表紙面像５８の長手方向をＸ方向とし、短手方向をＹ方向としている。テスト用中綴じ冊子はステープラー処理されているために、表紙面像５８はステープラー像６０を含んでいる。本実施形態では、表紙面像５８のＹ方向に並ぶ２つのステープラー像６０を含んでいる。各ステープラー像６０の形状は、Ｙ方向に延びる線状となっている。画像解析部４２は、表紙面画像５６に対して画像解析処理を行うことで、ステープラー像６０を検出する。
【００４２】
ステープラー像６０は、エッジ検出処理などの従来の画像解析技術によって検出することができる。ステープラー位置のおおよその位置が予め分かっている場合には、ステープラー像６０検出のためにエッジ検出を行う処理領域（例えば表紙面画像５６のＸ方向中央部分）を確定し、当該処理領域においてのみエッジ検出処理を実行するようにしてもよい。
【００４３】
画像解析部４２は、中綴じ面像５２の用紙エッジ５２ａの検出処理と同様にして、表紙面像５８の用紙エッジ５８ａを検出する。用紙エッジ５８ａもＹ方向に平行なエッジであり、すなわち折り目に平行なエッジである。そして、用紙エッジ５８ａからステープラー像６０までのＸ方向距離（図４のＬ２）をステープラー位置の指標として検出する。
【００４４】
また、画像解析部４２は、中綴じ面画像５０に対する画像解析処理により検出された中綴じ面側折り目位置に基づいて、表紙面画像５６における表紙側折り目位置６２を特定する。本実施形態では、表紙面像５８の用紙エッジ５８ａからのＸ方向距離が、中綴じ面画像５０から検出された用紙エッジ５２ａから折り目像５４までのＸ方向距離（図４及び５のＬ１）である位置が、表紙側折り目位置６２として特定される。このようにすることで、画像解析部４２は、折りが弱く、折り目が検出し難い表紙面の折り目を画像解析処理によって直接検出することなく、表紙側折り目位置６２を特定することができる。
【００４５】
なお、本実施形態では、折り目像５４の位置が中綴じ面像５２のＸ方向中央にあることを前提としているため、表紙面像５８において、中綴じ面像５２の用紙エッジ５２ａと同じ側（図４及び５の右側）の用紙エッジ５８ａが検出され、用紙エッジ５８ａを基準としてステープラー位置及び表紙側折り目位置６２が検出されているが、表紙面像５８において、用紙エッジ５２ａとは反対側（図４及び５の例では左（Ｘ方向の負方向）側）の用紙エッジ５８ｂを検出し、用紙エッジ５８ｂを基準としてステープラー位置及び表紙側折り目位置６２が検出されてもよい。
【００４６】
補正量算出部４４は、画像解析部４２が表紙面画像５６から検出した、ステープラー位置及び表紙側折り目位置６２に基づいて、ステープラー処理位置に関する補正情報を算出する。具体的には、用紙エッジ５８ａからステープラー位置までのＸ方向距離（図５の例ではＬ２）が、用紙エッジ５８ａから表紙側折り目位置６２までのＸ方向距離（図５の例ではＬ１）に一致するように、補正量を算出する。本例では、補正方向は図５におけるＸ方向の負方向であって、補正量としてはＬ１−Ｌ２に応じた量が算出される。なお、補正量とＬ１−Ｌ２との関係は、中綴じ面画像５０及び表紙面画像５６の画像サイズなどに応じて適宜決定されてよい。
【００４７】
補正情報出力部４６は、補正量算出部４４が算出した、ステープラー処理位置に関する補正情報を後加工装置１４に出力する。当該補正情報には、ステープラー処理位置の補正方向及び補正量が含まれる。
【００４８】
後加工装置１４の中綴じ処理部２４は、当該補正情報に基づいて、ステープラー処理位置を補正する。これにより、ステープラー位置を表紙側の折り目に一致させることができる。
【００４９】
第１実施形態に係る画像処理システム１０の構成概要については以上の通りである。本実施形態によれば、表紙側折り目位置６２を、折りが強い中綴じ側折り目位置に基づいて特定される。これにより、折りが弱い表紙側の折り目を画像解析処理により直接検出することなく、好適に表紙側折り目位置６２を特定することができる。その上で、特定された表紙側折り目位置６２に基づいてステープラー処理位置に関する補正情報が算出されるため、表紙側の折り目に正確にステープラー位置を合わせることができる。
【００５０】
以下、図６に示すフローチャートに従って、第１実施形態に係る画像処理システム１０の処理の流れを説明する。
【００５１】
ステップＳ１０において、印刷部３０は複数のテスト用印刷済用紙を印刷し、中綴じ処理部２４は複数のテスト用印刷済用紙に対して中綴じ処理を行ってテスト用中綴じ冊子を形成する。
【００５２】
ステップＳ１２において、読取部３２は、テスト用中綴じ冊子の中綴じ面をスキャンして中綴じ面画像５０を取得する。
【００５３】
ステップＳ１４において、読取部３２は、テスト用中綴じ冊子の表紙面をスキャンして表紙面画像５６を取得する。
【００５４】
ステップＳ１６において、画像解析部４２は、中綴じ面画像５０に対して画像解析を実施することで、折り目像５４及び用紙エッジ５２ａを検出し、用紙エッジ５２ａから折り目像５４までのＸ方向距離を中綴じ側折り目位置の指標として検出する。
【００５５】
ステップＳ１８において、画像解析部４２は、表紙面画像５６に対して画像解析を実施し用紙エッジ５８ａを検出する。次いで、画像解析部４２は、用紙エッジ５８ａからのＸ方向距離がステップＳ１６において検出された距離である位置を表紙側折り目位置６２として特定する。
【００５６】
ステップＳ２０において、画像解析部４２は、表紙面画像５６に対して画像解析を実施し、ステープラー像６０を検出し、用紙エッジ５８ａからステープラー像６０までのＸ方向距離をステープラー位置として検出する。なお、ステップＳ１８とステップＳ２０はいずれが先に実行されても構わない。
【００５７】
ステップＳ２２において、補正量算出部４４は、ステップＳ１８で検出された表紙側折り目位置６２と、ステップＳ２０で検出されたステープラー位置とに基づいて、ステープラー処理位置の補正方向を特定し、さらに補正量を算出する。
【００５８】
ステップＳ２４において、補正情報出力部４６は、ステップＳ２２で特定された補正方向及び算出された補正量を含む補正情報を後加工装置１４に出力する。
【００５９】
＜第２実施形態＞
上述の通り、第１実施形態では、中綴じ側折り目位置が、中綴じ面像５２の用紙エッジ５２ａからのＸ方向距離として検出され、当該Ｘ方向距離と表紙面像５８の用紙エッジ５８ａとに基づいて表紙側折り目位置６２が特定されている。これは、中綴じ面画像５０における用紙エッジ５２ａから折り目像５４までのＸ方向距離と、表紙面画像５６における用紙エッジ５８ａから表紙側折り目位置６２までのＸ方向距離が同じであることを前提とするものである。
【００６０】
しかしながら、中綴じ面画像５０における用紙エッジ５２ａから折り目像５４までのＸ方向距離と、表紙面画像５６における用紙エッジ５８ａから表紙側折り目位置６２までのＸ方向距離が同じにならない場合がある。例えば、中綴じ面をスキャンする場合と、表紙面をスキャンする場合との間における、テスト用中綴じ冊子のプラテンガラスからの浮き具合の差異によって、両距離が異なり得る。
【００６１】
図７（ａ）には表紙面スキャン時のテスト用中綴じ冊子を地側（又は天側）から見た図が示され、図７（ｂ）には中綴じ面スキャン時のテスト用中綴じ冊子を地側（又は天側）から見た図が示されている。スキャン時においては、テスト用中綴じ冊子は天板（不図示）によってプラテンガラス側に抑えつけられるものの、図７（ａ）及び（ｂ）に示す通り、中綴じ面スキャン時の方が、表紙面スキャン時に比して、折り目部分近傍（中綴じ冊子の「のど部分」近傍）が、より大きくプラテンガラスから浮いてしまう場合がある。これは、表紙面スキャン時はテスト用中綴じ冊子のプラテンガラス側面の折り目が山折りとなっており、中綴じ面スキャン時はテスト用中綴じ冊子のプラテンガラス側面の折り目が谷折りとなることなどに起因するものである。
【００６２】
その結果として、中綴じ面スキャン時におけるテスト用中綴じ冊子の小口側端部から折り目までの水平距離（図７（ｂ）におけるＤ２）が、表紙面スキャン時におけるテスト用中綴じ冊子の小口側端部から折り目までの水平距離（図７（ａ）におけるＤ１）よりも短くなる場合がある。そうすると、中綴じ面画像５０における用紙エッジ５２ａから折り目像５４までのＸ方向距離と、表紙面画像５６における用紙エッジ５８ａから表紙側折り目位置６２までのＸ方向距離が異なることになってしまう。なお、テスト用中綴じ冊子のプラテンガラスに対する浮きは、通常、折り目の両側において同様に生じるため、図７（ａ）において折り目から左側の小口側端部までの水平距離もＤ１であり、図７（ｂ）において折り目から左側の小口側端部までの水平距離もＤ２となる。
【００６３】
第２実施形態においては、上述の問題に鑑みて、表紙面スキャン時と中綴じ面スキャン時とにおいて、折り目から小口側端部までの水平距離（図７のＤ１及びＤ２）が異なってしまった場合であっても、表紙側折り目位置８４を好適に特定するための処理を実行する。なお、第２実施形態における画像処理システム１０、画像形成装置１２、及び後加工装置１４の構成概略は第１実施形態と同様であるために、説明を省略する。
【００６４】
第２実施形態においては、読取部３２がテスト用中綴じ冊子の中綴じ面及び表紙面の読取処理を行うに先立って、印刷部３０は、テスト用中綴じ冊子の中綴じ面に対応するテスト用印刷済用紙に、第１マーク組としての中綴じ側マーク組を印刷し、且つ、表紙面に対応するテスト用印刷済用紙に、第２マーク組としての表紙側マーク組を印刷しておく。
【００６５】
中綴じ側マーク組は、２つの中綴じ側マークから構成される。２つの中綴じ側マークは、中綴じ面の折り目を挟む位置に印刷される。なお、中綴じ面の折り目位置を検出する前に、中綴じ面の折り目を挟む位置に中綴じマーク組が印刷されることになるが、中綴じ面の折り目位置の誤差はそれほど大きなものではないため（通常数ｍｍ程度）、中綴じマーク組は、中綴じ面の折り目位置の最大誤差を考慮した上で、確実に中綴じ面の折り目を挟む位置に印刷される。また、後述するように、中綴じ面をスキャンすることで得られる中綴じ面画像に、中綴じ側マーク組に対応する像が好適に現れるように、中綴じ側マーク組は、中綴じ面のスキャン時においてプラテンガラスに密着する位置に印刷されるのが望ましい。
【００６６】
表紙側マーク組は、中綴じ面における中綴じ側マーク組と同じ位置に印刷される。中綴じ側マーク組同様、表紙側マーク組も、表紙面の折り目を挟む位置に印刷される２つの表紙側マークから構成される。また、表紙側マーク組も、表紙面のスキャン時においてプラテンガラスに密着する位置に印刷されるのが望ましい。
【００６７】
図８に、中綴じ側マーク組が印刷された中綴じ面を読取部３２がスキャンして得られた中綴じ面画像７０が示されている。中綴じ面画像７０には中綴じ面像７２が含まれ、中綴じ面像７２には、中綴じ側マーク組に対応する、第１マーク像組としての中綴じ側マーク像組７６が含まれる。中綴じ側マーク像組７６は、中綴じ側マーク像７６ａ及び７６ｂから構成される。中綴じ側マーク像７６ａ及び７６ｂの形状（すなわち中綴じ側マークの形状）は、中綴じ面画像７０に対する画像解析処理によって、Ｘ方向における位置が検出しやすい形状であるのが望ましい。本実施形態では、中綴じ側マーク像７６ａ及び７６ｂは、十字形状となっている。
【００６８】
第２実施形態においても、第１実施形態と同様に、画像解析部４２は、中綴じ面画像７０に対して画像解析処理を行うことで、折り目像７４を検出する。第２実施形態においては、さらに、画像解析部４２は、中綴じ面画像７０に対する画像解析処理により、中綴じ側マーク像７６ａ及び７６ｂを検出する。上述のように、中綴じ側マークは折り目を挟む位置に印刷されるために、中綴じ側マーク像７６ａ及び７６ｂは、折り目像７４を挟む位置に検出される。
【００６９】
第２実施形態では、中綴じ側マーク像７６ａ及び７６ｂと、折り目像７４との位置関係により中綴じ側折り目位置を検出する。具体的には、画像解析部４２は、折り目像７４から中綴じ側マーク像７６ａまでのＸ方向距離と、折り目像７４から中綴じ側マーク像７６ｂまでのＸ方向距離との比を中綴じ側折り目位置の指標として検出する。例えば、図８の例では、折り目像７４から中綴じ側マーク像７６ａまでのＸ方向距離が４であるのに対し、折り目像７４から中綴じ側マーク像７６ｂまでのＸ方向距離が６であるので、４：６という比が中綴じ側折り目位置の指標として検出される。
【００７０】
図９に、表紙側マーク組が印刷された表紙面を読取部３２がスキャンして得られた表紙面画像７８が示されている。表紙面画像７８には表紙面像８０が含まれ、表紙面像８０には、表紙側マーク組に対応する、第２マーク像組としての表紙側マーク像組８２が含まれる。表紙側マーク像組８２は、表紙側マーク像８２ａ及び８２ｂから構成される。表紙側マーク像８２ａ及び８２ｂの形状（すなわち表紙側マークの形状）も、表紙面画像７８に対する画像解析処理によって、Ｘ方向における位置が検出しやすい形状であるのが望ましい。本実施形態では、表紙側マーク像８２ａ及び８２ｂは、中綴じ側マーク像７６ａ及び７６ｂ同様十字形状となっている。画像解析部４２は、表紙面画像７８を解析することで、表紙側マーク像８２ａ及び８２ｂを検出する。
【００７１】
第２実施形態では、画像解析部４２は、中綴じ面画像７０から検出された、折り目像７４から中綴じ側マーク像７６ａまでのＸ方向距離と、折り目像７４から中綴じ側マーク像７６ｂまでのＸ方向距離との比、及び、表紙面画像７８から検出された、表紙側マーク像８２ａと８２ｂとの間のＸ方向距離とに基づいて、表紙側折り目位置を特定する。本例では、折り目像７４から中綴じ側マーク像７６ａまでのＸ方向距離と、折り目像７４から中綴じ側マーク像７６ｂまでのＸ方向距離との比が４：６であるので、画像解析部４２は、表紙側マーク像８２ａからのＸ方向距離が４、表紙側マーク像８２ｂからのＸ方向距離が６で表されるＸ方向の位置を表紙側折り目位置８４として特定する。
【００７２】
次いで、画像解析部４２は、表紙面像８０の用紙エッジ８０ａを検出し、用紙エッジ８０ａから特定した表紙側折り目位置８４までのＸ方向距離（図９のＬ３）を検出する。次いで、画像解析部４２は、第１実施形態同様、表紙面像８０からステープラー像８６を検出し、用紙エッジ８０ａからステープラー像８６までのＸ方向距離（図９のＬ４）を検出する。
【００７３】
そして、補正量算出部４４は、用紙エッジ８０ａからステープラー像８６までのＸ方向距離（Ｌ４）が、用紙エッジ８０ａから表紙側折り目位置８４までのＸ方向距離（Ｌ３）に一致するように、補正量を算出する。本例では、補正方向は図５におけるＸ方向の負方向であって、補正量としてはＬ３−Ｌ４に応じた量が算出される。
【００７４】
このように、第２実施形態では、中綴じ面像７２及び表紙面像８０の用紙エッジ位置を基準とせずに、表紙側折り目位置８４を特定することができる。したがって、表紙面スキャン時と中綴じ面スキャン時とにおいて、折り目から小口側端部までの水平距離（図７のＤ１及びＤ２）が異なってしまったとしても、好適に表紙側折り目位置８４を特定することができる。
【００７５】
第２実施形態において、表紙面画像７８上で正確に表紙側折り目位置８４を特定するには、表紙面において、中綴じ面における中綴じ側マーク組の位置と同じ位置に、表紙側マーク組を正確に印刷する必要がある。しかしながら、種々の要因で生じ得る印刷ずれの影響により、表紙面において、中綴じ面における中綴じ側マーク組の位置と同じ位置に表紙側マーク組を正確に印刷できない場合も考えられる。このような場合に備え、第２実施形態においては、中綴じ側マーク組と表紙側マーク組と間における印刷時における位置ずれを検出してその影響を解消する処理を実行するようにしてもよい。以下、当該処理について説明する。
【００７６】
まず、印刷部３０は、中綴じ面に対して読取部３２がテスト用中綴じ冊子の中綴じ面及び表紙面のスキャンを行うに先立って、テスト用中綴じ冊子の中綴じ面に対応するテスト用印刷済用紙に、中綴じ側マーク組と共に、第１ずれ検出用マークとしての中綴じ側ずれ検出用マークを印刷し、表紙面に対応するテスト用印刷済用紙に、表紙側マーク組と共に、第２ずれ検出用マークとしての表紙側ずれ検出用マークを印刷する。
【００７７】
印刷部３０は、表紙面において、中綴じ面における中綴じ側ずれ検出用マークと同じ位置に、表紙側ずれ検出用マークを印刷する（しようとする）処理を行う。ここで、中綴じ面と表紙面との間における印刷ずれにより、表紙側ずれ検出用マークが、中綴じ面における中綴じ側ずれ検出用マークと同じ位置に印刷されない場合があるが、重要な点は、中綴じ側マーク組と中綴じ側ずれ検出用マークの位置関係は一定であり、また、表紙側マーク組と表紙側ずれ検出用マークの位置関係も一定であることである。
【００７８】
後述のように、中綴じ面画像の用紙エッジから中綴じ側ずれ検出用マークに対応する中綴じ側ずれ検出用マーク像までのＸ方向距離と、表紙面画像の用紙エッジから表紙側ずれ検出用マークに対応する表紙側ずれ検出用マーク像までのＸ方向距離に基づいて印刷ずれを検出するため、中綴じ側ずれ検出用マーク及び表紙側ずれ検出用マークは、中綴じ面あるいは表紙面の小口側エッジの近傍に印刷されるのが好ましい。
【００７９】
図１０に、中綴じ側マーク組及び中綴じ側ずれ検出用マークが印刷された中綴じ面を読取部３２がスキャンして得られた中綴じ面画像９０が示されている。中綴じ面画像９０には中綴じ面像９２が含まれ、中綴じ面像９２には、中綴じ側マーク像組７６、及び、中綴じ側ずれ検出用マークに対応する、第１ずれ検出用マーク像としての中綴じ側ずれ検出用マーク像９４が含まれる。中綴じ側ずれ検出用マーク像９４の形状も、中綴じ面画像９０に対する画像解析処理によって、Ｘ方向における位置が検出しやすい形状であるのが望ましい。
【００８０】
画像解析部４２は、中綴じ面像９２の用紙エッジ９２ａを検出し、第１距離としての、用紙エッジ９２ａから中綴じ側ずれ検出用マーク像９４までのＸ方向距離（図１０の例ではｌ１）を検出する。
【００８１】
図１１に、表紙側マーク組及び表紙側ずれ検出用マークが印刷された表紙面を読取部３２がスキャンして得られた表紙面画像９６が示されている。表紙面画像９６には表紙面像９８が含まれ、表紙面像９８には、表紙側マーク像組８２、及び、表紙側ずれ検出用マークに対応する、第２ずれ検出用マーク像としての表紙側ずれ検出用マーク像１００が含まれる。表紙側ずれ検出用マーク像１００の形状も、表紙面画像９６に対する画像解析処理によって、Ｘ方向における位置が検出しやすい形状であるのが望ましい。
【００８２】
画像解析部４２は、表紙面像９８の用紙エッジ９８ａを検出し、第２距離としての、用紙エッジ９８ａから表紙側ずれ検出用マーク像１００までのＸ方向距離（図１１の例ではｌ２）を検出する。
【００８３】
上述の通り、中綴じ側マーク組と中綴じ側ずれ検出用マークの位置関係は一定であることから、中綴じ側マーク像組７６と中綴じ側ずれ検出用マーク像９４との位置関係も一定である。また、表紙側マーク組と表紙側ずれ検出用マークの位置関係は一定であることから、表紙側マーク像組８２と表紙側ずれ検出用マーク像１００との位置関係も一定である。したがって、用紙エッジ９２ａから中綴じ側ずれ検出用マーク像９４までのＸ方向距離ｌ１と、用紙エッジ９８ａから表紙側ずれ検出用マーク像１００までのＸ方向距離ｌ２とが異なっているのであれば、画像解析部４２は、中綴じ面と表紙面との間における印刷ずれが生じている、すなわち、中綴じ側マーク像組７６と表紙側マーク像組８２との間で位置ずれが生じているものと判断することができる。なお、Ｘ方向距離ｌ１とＸ方向距離ｌ２とが同一であれば、画像解析部４２は、中綴じ面と表紙面との間における印刷ずれは生じていない、と判断できる。
【００８４】
Ｘ方向距離ｌ１とＸ方向距離ｌ２とが異なっている場合、画像解析部４２は、両Ｘ方向距離の差（ｌ２−ｌ１）に基づいて、中綴じ側マーク像組７６及び表紙側マーク像組８２のいずれか一方のＸ方向（すなわち折り目に対する垂直方向）位置を調整した上で、表紙側折り目位置の検出を行う。このように、画像解析部４２は、マーク像位置調整部としても機能する。
【００８５】
本実施形態では、Ｘ方向距離ｌ１とＸ方向距離ｌ２とが異なっている場合、画像解析部４２は、中綴じ側マーク像組７６のＸ方向位置を（ｌ２−ｌ１）分だけＸ方向の負方向に調整する。例えば、Ｘ方向距離ｌ１が５ｍｍであり、Ｘ方向距離ｌ２が１０ｍｍである場合、図１２に示す通り、画像解析部４２は、中綴じ側マーク像組７６の位置を、実際の位置からＸ方向の負方向に５ｍｍ移動した位置にあるものとする。その上で、上述の第２実施形態と同様に、検出された折り目像１０２から調整後の中綴じ側マーク像７６ａの位置までのＸ方向距離と、折り目像１０２から調整後の中綴じ側マーク像７６ｂの位置までのＸ方向距離との比を中綴じ側折り目位置として検出する。その後の処理は、第２実施形態と同様である。
【００８６】
なお、本実施形態では、Ｘ方向距離ｌ１とＸ方向距離ｌ２とが異なっている場合に、画像解析部４２は、中綴じ側マーク像組７６の位置を調整していたが、表紙側マーク像組８２の位置を調整するようにしてもよい。具体的には、Ｘ方向距離ｌ１とＸ方向距離ｌ２とが異なっている場合、画像解析部４２は、表紙側マーク像組８２のＸ方向位置を（ｌ２−ｌ１）分だけＸ方向の正方向に調整する。例えば、Ｘ方向距離ｌ１が５ｍｍであり、Ｘ方向距離ｌ２が１０ｍｍである場合、画像解析部４２は、表紙側マーク像組８２の位置を、実際の位置からＸ方向の正方向に５ｍｍ移動した位置にあるものとして表紙側折り目位置を特定するようにしてもよい。
【００８７】
以上のように、中綴じ側ずれ検出用マーク及び表紙側ずれ検出用マークを用いることにより、中綴じ側マーク組及び表紙側マーク組の印刷の際に、中綴じ面及び表紙面との間で印刷ずれが生じたとしても、当該印刷ずれを好適に検出し、その影響を除去した上で、表紙側折り目位置を正確に検出することができる。
【００８８】
以下、図１３に示すフローチャートに従って、第２実施形態に係る画像処理システム１０の処理の流れを説明する。
【００８９】
ステップＳ３０において、印刷部３０は、テスト用用紙に対して中綴じ側マーク組及び中綴じ側ずれ検出用マークを印刷し、中綴じ面に対応するテスト用印刷済用紙を生成する。
【００９０】
ステップＳ３２において、印刷部３０は、テスト用用紙に対して表紙側マーク組及び表紙側ずれ検出用マークを印刷し、表紙面に対応するテスト用印刷済用紙を生成する。
【００９１】
ステップＳ３４において、中綴じ処理部２４は、ステップＳ３０及びＳ３２で生成した中綴じ面に対応するテスト用印刷済用紙、及び表紙面に対応するテスト用印刷済用紙を含む複数のテスト用印刷済用紙を用いてテスト用中綴じ冊子を形成する。
【００９２】
ステップＳ３６において、読取部３２は、テスト用中綴じ冊子の中綴じ面をスキャンして中綴じ面画像９０を生成する。
【００９３】
ステップＳ３８において、読取部３２は、テスト用中綴じ冊子の表紙面をスキャンして表紙面画像９６を生成する。
【００９４】
ステップＳ４０において、画像解析部４２は、中綴じ面画像９０に対して画像解析を実施することで、中綴じ面像９２の用紙エッジ９２ａ、及び、中綴じ側ずれ検出用マーク像９４を検出し、用紙エッジ９２ａから中綴じ側ずれ検出用マーク像９４までのＸ方向距離ｌ１を検出する。また、画像解析部４２は、表紙面画像９６に対して画像解析を実施することで、表紙面像９８の用紙エッジ９８ａ、及び、表紙側ずれ検出用マーク像１００を検出し、用紙エッジ９８ａから表紙側ずれ検出用マーク像１００までのＸ方向距離ｌ２を検出する。そして、画像解析部４２は、検出したＸ方向距離ｌ１とＸ方向距離ｌ２とが一致するか否かを判定する。Ｘ方向距離ｌ１とＸ方向距離ｌ２とが一致している場合、画像解析部４２は、中綴じ側マーク組及び表紙側マーク組との間で印刷ずれは無いものと判断し、ステップＳ４２をバイパスしてステップＳ４４に進む。Ｘ方向距離ｌ１とＸ方向距離ｌ２とが一致しない場合、画像解析部４２は、中綴じ側マーク組及び表紙側マーク組との間で印刷ずれがあるものと判断し、ステップＳ４２に進む。
【００９５】
ステップＳ４２において、画像解析部４２は、中綴じ面画像９０から中綴じ側マーク像組７６を検出した上で、中綴じ側マーク像組７６のＸ方向位置を（ｌ２−ｌ１）分だけＸ方向の負方向に調整する。
【００９６】
ステップＳ４４において、画像解析部４２は、中綴じ面画像９０から折り目像１０２を検出し、折り目像１０２から中綴じ側マーク像７６ａ（ステップＳ４２を経た場合は調整後の中綴じ側マーク像７６ａの位置）までのＸ方向距離と、折り目像１０２から中綴じ側マーク像７６ｂ（ステップＳ４２を経た場合は調整後の中綴じ側マーク像７６ｂの位置）までのＸ方向距離との比を中綴じ側折り目位置の指標として検出する。
【００９７】
ステップＳ４６において、画像解析部４２は、表紙面画像９６から表紙側マーク像組８２を検出した上で、ステップＳ４４で検出した比と、表紙側マーク像組８２間の距離とに基づいて、表紙側折り目位置を検出する。次いで、画像解析部４２は、表紙面像９８の用紙エッジ９８ａを検出し、用紙エッジ９８ａから表紙側折り目位置までのＸ方向距離を検出する。
【００９８】
ステップＳ４８において、画像解析部４２は、表紙面画像に対して画像解析を実施し、ステープラー像を検出し、用紙エッジ９８ａからステープラー像までのＸ方向距離をステープラー位置として検出する。
【００９９】
ステップＳ５０において、補正量算出部４４は、ステップＳ４６で検出された用紙エッジ９８ａから表紙側折り目位置までのＸ方向距離と、ステップＳ４８で検出された用紙エッジ９８ａからステープラー像までのＸ方向距離とに基づいて、ステープラー処理位置の補正方向を特定し、且つ、補正量を算出する。
【０１００】
ステップＳ５２において、補正情報出力部４６は、ステップＳ５０で特定された補正方向及び算出された補正量を含む補正情報を後加工装置１４に出力する。
【０１０１】
以上、本発明に係る実施形態を説明したが、本発明は上記実施形態に限られるものではなく、本発明の趣旨を逸脱しない限りにおいて種々の変更が可能である。例えば、本発明に係る画像処理装置が画像形成装置１２である例について第１実施形態及び第２実施形態を説明したが、本発明に係る画像処理装置は画像形成装置１２に限られるものではなく、少なくとも、画像解析部４２、補正量算出部４４、及び補正情報出力部４６を備える限りにおいて、その他の装置であってもよい。
【符号の説明】
【０１０２】
１０  画像処理システム、１２  画像形成装置、１４  後加工装置、２０  用紙受付部、２２，３８  接続部、２４  中綴じ処理部、３０  印刷部、３２  読取部、３４  記憶部、３６  用紙排出部、４０  制御部、４２  画像解析部、４４  補正量算出部、４６  補正情報出力部。
【図１】
2019073367.tif 000003
【図２】
2019073367.tif 000004
【図３】
2019073367.tif 000005
【図４】
2019073367.tif 000006
【図５】
2019073367.tif 000007
【図６】
2019073367.tif 000008
【図７】
2019073367.tif 000009
【図８】
2019073367.tif 000010
【図９】
2019073367.tif 000011
【図１０】
2019073367.tif 000012
【図１１】
2019073367.tif 000013
【図１２】
2019073367.tif 000014
【図１３】
2019073367.tif 000015
【図１４】
2019073367.tif 000016
【図１５】
2019073367.tif 000017